【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
割当てに使用可能な第１の通信ネットワーク内の無線周波数（ＲＦ）スペクトル資源の量を通信サーバ内で求め、
前記第１の通信ネットワークの使用可能なＲＦスペクトル資源の一部を第２の通信ネットワークによるアクセスおよび使用のために割り当て、
割り当てられたＲＦスペクトル資源の使用を開始してもよいことを前記第２の通信ネットワークに知らせ、
前記第２の通信ネットワークによる使用のために割り当てられたＲＦスペクトル資源の量を明らかにするトランザクションを、トランザクションデータベース内に記録し、
第１のＲＡＮ技術によって前記第１の通信ネットワークに、第２のＲＡＮ技術によって前記第２の通信ネットワークに同時に接続されているモバイル装置を識別する情報を含む無線アクセスネットワーク（ＲＡＮ）状況メッセージを前記第１の通信ネットワークから受け取り、
前記受け取ったＲＡＮ状況メッセージに基づき、前記割り当てられたＲＦスペクトル資源の少なくとも一部が前記第１の通信ネットワークによって必要とされるかどうかを前記通信サーバ内で判定し、
前記割り当てられたＲＦスペクトル資源の少なくとも一部が前記第１の通信ネットワークによって必要とされると判定することに応答し、前記割り当てられたＲＦスペクトル資源の使用を終了すべきことを前記第２の通信ネットワークに知らせ、
前記割り当てられたＲＦスペクトル資源の使用が前記第２の通信ネットワークによって終了された時間を明らかにする情報を含めるように前記トランザクションデータベースを更新すること
を含む、動的スペクトル仲裁方法。
【請求項２】
前記第１の通信ネットワークから前記ＲＡＮ状況メッセージを受け取ることが、前記モバイル装置のＲＡＮ接続を識別するメッセージを受け取ることを含む、請求項１に記載の方法。
【請求項３】
前記第１の通信ネットワークから前記ＲＡＮ状況メッセージを受け取ることが、前記第１の通信ネットワークに接続される複数のモバイル装置のＲＡＮ接続を識別するＲＡＮ状況メッセージを受け取ることを含む、請求項１に記載の方法。
【請求項４】
前記第１のＲＡＮ技術が、前記第２のＲＡＮ技術と同じ技術である、請求項１に記載の方法。
【請求項５】
前記第１のＲＡＮ技術が、前記第２のＲＡＮ技術と異なる技術である、請求項１に記載の方法。
【請求項６】
前記ＲＡＮ状況メッセージを受け取ることが、
第１の周波数によって前記第１の通信ネットワークに接続され、第２の周波数によって前記第２の通信ネットワークに接続されている前記モバイル装置を識別するメッセージを受け取ること
を含む、請求項１に記載の方法。
【請求項７】
第１の通信ネットワークと第２の通信ネットワークとの間で、使用可能な無線周波数（ＲＦ）スペクトル資源の動的スペクトル仲裁を達成するための通信サーバであって、
前記第１の通信ネットワークおよび前記第２の通信ネットワークと通信するためのネットワーク通信回路と、
メモリと、
前記メモリおよび前記ネットワーク通信回路に結合されるプロセッサと
を含む通信サーバであり、
前記プロセッサは、
割当てに使用可能な前記第１の通信ネットワーク内の無線周波数（ＲＦ）スペクトル資源の量を求めること、
前記第１の通信ネットワークの使用可能なＲＦスペクトル資源の一部を前記第２の通信ネットワークによるアクセスおよび使用のために割り当てること、
割り当てられたＲＦスペクトル資源の使用を開始してもよいことを前記第２の通信ネットワークに知らせること、
前記第２の通信ネットワークによる使用のために割り当てられたＲＦスペクトル資源の量を明らかにするトランザクションを、トランザクションデータベース内に記録すること、
第１のＲＡＮ技術によって前記第１の通信ネットワークに、第２のＲＡＮ技術によって前記第２の通信ネットワークに同時に接続されているモバイル装置を識別する情報を含む無線アクセスネットワーク（ＲＡＮ）状況メッセージを前記第１の通信ネットワークから受け取ること、
前記受け取ったＲＡＮ状況メッセージに基づき、前記割り当てられたＲＦスペクトル資源の少なくとも一部が前記第１の通信ネットワークによって必要とされるかどうかを判定すること、
前記割り当てられたＲＦスペクトル資源の少なくとも一部が前記第１の通信ネットワークによって必要とされると判定することに応答し、前記割り当てられたＲＦスペクトル資源の使用を終了すべきことを前記第２の通信ネットワークに知らせること、および
前記割り当てられたＲＦスペクトル資源の使用が前記第２の通信ネットワークによって終了された時間を明らかにする情報を含めるように前記トランザクションデータベースを更新すること
を含む操作を実行するためのプロセッサ実行可能命令で構成される、
通信サーバ。
【請求項８】
前記第１の通信ネットワークから前記ＲＡＮ状況メッセージを受け取ることが、前記モバイル装置のＲＡＮ接続を識別するメッセージを受け取ることを含むように前記プロセッサがプロセッサ実行可能命令で構成される、請求項７に記載の通信サーバ。
【請求項９】
前記第１の通信ネットワークから前記ＲＡＮ状況メッセージを受け取ることが、複数のモバイル装置のＲＡＮ接続を識別するメッセージを受け取ることを含むように前記プロセッサがプロセッサ実行可能命令で構成される、請求項７に記載の通信サーバ。
【請求項１０】
前記ＲＡＮ状況メッセージを前記受け取ることが、
前記第１のＲＡＮ技術が前記第２のＲＡＮ技術と同じ技術であることを明らかにするメッセージを受け取ること
を含むように前記プロセッサがプロセッサ実行可能命令で構成される、請求項７に記載の通信サーバ。
【請求項１１】
前記ＲＡＮ状況メッセージを前記受け取ることが、
前記第１のＲＡＮ技術が前記第２のＲＡＮ技術とは異なる技術であることを明らかにするメッセージを受け取ること
を含むように前記プロセッサがプロセッサ実行可能命令で構成される、請求項７に記載の通信サーバ。
【請求項１２】
前記ＲＡＮ状況メッセージを受け取ることが、
第１の周波数によって前記第１の通信ネットワークに接続され、第２の周波数によって前記第２の通信ネットワークに接続されている前記モバイル装置を識別するメッセージを受け取ること
を含むように前記プロセッサがプロセッサ実行可能命令で構成される、請求項７に記載の通信サーバ。
【請求項１３】
割当てに使用可能な第１の通信ネットワーク内の無線周波数（ＲＦ）スペクトル資源の量を求めること、
前記第１の通信ネットワークの使用可能なＲＦスペクトル資源の一部を第２の通信ネットワークによるアクセスおよび使用のために割り当てること、
割り当てられたＲＦスペクトル資源の使用を開始してもよいことを前記第２の通信ネットワークに知らせること、
前記第２の通信ネットワークによる使用のために割り当てられたＲＦスペクトル資源の量を明らかにするトランザクションを、トランザクションデータベース内に記録すること、
第１のＲＡＮ技術によって前記第１の通信ネットワークに、第２のＲＡＮ技術によって前記第２の通信ネットワークに同時に接続されているモバイル装置を識別する情報を含む無線アクセスネットワーク（ＲＡＮ）状況メッセージを前記第１の通信ネットワークから受け取ること、
前記受け取ったＲＡＮ状況メッセージに基づき、前記割り当てられたＲＦスペクトル資源の少なくとも一部が前記第１の通信ネットワークによって必要とされるかどうかを判定すること、
前記割り当てられたＲＦスペクトル資源の少なくとも一部が前記第１の通信ネットワークによって必要とされると判定することに応答し、前記割り当てられたＲＦスペクトル資源の使用を終了すべきことを前記第２の通信ネットワークに知らせること、および
前記割り当てられたＲＦスペクトル資源の使用が前記第２の通信ネットワークによって終了された時間を明らかにする情報を含めるように前記トランザクションデータベースを更新すること
を含む動的スペクトル仲裁（ＤＳＡ）操作をコンピュータに実行させるように構成されるプロセッサ実行可能ソフトウェア命令を記憶する、非一時的コンピュータ読み取り可能な記憶媒体。
【請求項１４】
前記第１の通信ネットワークから前記ＲＡＮ状況メッセージを受け取ることが、前記モバイル装置のＲＡＮ接続を識別するメッセージを受け取ることを含むように操作をコンピュータに実行させるよう、前記記憶されたプロセッサ実行可能ソフトウェア命令が構成される、請求項１３に記載の非一時的コンピュータ読み取り可能な記憶媒体。
【請求項１５】
前記第１の通信ネットワークから前記ＲＡＮ状況メッセージを受け取ることが、前記複数のモバイル装置のＲＡＮ接続を識別するメッセージを受け取ることを含むように操作をコンピュータに実行させるよう、前記記憶されたプロセッサ実行可能ソフトウェア命令が構成される、請求項１３に記載の非一時的コンピュータ読み取り可能な記憶媒体。
【請求項１６】
前記ＲＡＮ状況メッセージを受け取ることが、
前記第１のＲＡＮ技術が前記第２のＲＡＮ技術と同じ技術であることを明らかにするメッセージを受け取ること
を含むように操作をコンピュータに実行させるよう、前記記憶されたプロセッサ実行可能ソフトウェア命令が構成される、請求項１３に記載の非一時的コンピュータ読み取り可能な記憶媒体。
【請求項１７】
前記ＲＡＮ状況メッセージを受け取ることが、
前記第１のＲＡＮ技術が前記第２のＲＡＮ技術とは異なる技術であることを明らかにするメッセージを受け取ること
を含むように操作をコンピュータに実行させるよう、前記記憶されたプロセッサ実行可能ソフトウェア命令が構成される、請求項１３に記載の非一時的コンピュータ読み取り可能な記憶媒体。
【請求項１８】
前記ＲＡＮ状況メッセージを受け取ることが、
第１の周波数によって前記第１の通信ネットワークに接続され、第２の周波数によって前記第２の通信ネットワークに接続されている前記モバイル装置を識別するメッセージを受け取ること
を含むように操作をコンピュータに実行させるよう、前記記憶されたプロセッサ実行可能ソフトウェア命令が構成される、請求項１３に記載の非一時的コンピュータ読み取り可能な記憶媒体。